(57)【要約】【課題】本発明はアイラインの書き込みが不要で、接着が容易に剥がれず、不自然さも痛みも無く、ノーマル、丸目、切れ長と選ぶ事が出来て独自の目元が作れるつけまつ毛を提供する。【解決手段】第二部材用の芯材（７１１）及び前記第二部材の目頭部より目尻部にかけて１０本／ｍｍ以上単列で配列されているアイライン形状密集繊維を有する第二部材（７１２）と、第一部材用の芯材（７０１）及び前記第一部材用繊維を有する第一部材（７０２）とを連結するアイライン形状の密度の多く細い密集繊維と、つけまつ毛を連結する。【選択図】図８
2013245429.tif 000002
【特許請求の範囲】
【請求項１】
第二部材用の芯材及び前記第二部材の目頭部より目尻部にかけて１０本／ｍｍ以上単列で配列されているアイライン形状密集繊維を有する第二部材と、第一部材用の芯材及び前記第一部材用繊維を有する第一部材とを連結することを特徴とするつけまつ毛。
【請求項２】
前記アイライン形状密集繊維の中央部分を両端部分より長くすることを特徴とする請求項１記載のつけまつ毛。
【請求項３】
前記アイライン形状密集繊維の目頭部分から中央部分の長さと比べ目尻部分を長くすることを特徴とする請求項１記載のつけまつ毛。
【発明の詳細な説明】
【技術分野】
【０００１】本発明は上まぶた用のつけまつ毛に関するものである。
【背景技術】
【０００２】図１はアイラインを書き込んだ人の右目の周辺の正面図である。
従来は、目の輪郭を強調したり、目を大きく見せたりする目元に施す化粧（アイメイク）において、図１で示した様に、上まぶた（１）の目の縁（まつ毛の生え際辺り）の線（アイライン（２））は墨（又はインク、以下）を含浸させたアイライン書き込み用筆又は予め固形又は液体で補充された墨をペンシルタイプの書き込み用筆を用いて手で書き込んでいた。【０００３】図２は段差アイラインを書き込んだ人の右目の周辺の正面図である。
アイライン（２）を書き込む場合、相当熟練したアイライン技術が必要で、アイライン（２）を片目をつむり書き込むため、図２に示した様にアイラインが外観上大なり小なり段違いアイライン（３）になってしまう。【０００４】図３は左右不均等アイラインを書き込んだ人の両目の周辺の正面図である。
右目と左目で利き腕により、どうしても左右のアイラインを書き込む際に図３に示す様に、はみ出しアイライン（４）になり、ラインの太さ、長さを正確に左右均等にすることが出来なかった。【０００５】図４は芯材の太いつけまつ毛の一実施例の斜視図（Ａ）とＸ−Ｘ’線の断面図（Ｂ）と芯材の太いつけまつ毛を装着した右目の周辺の正面図（Ｃ）である。
つけまつ毛の芯材を太く、黒くすることによりアイラインの様にみせる図４に示した様に太芯材タイプつけまつ毛（５）は過去にあったが、つけまつ毛接着で長時間使用の際に上まぶた（１）の目頭部分（５０１ａ）及び、目尻部分（５０１ｂ）が芯材の硬い形状のため、まばたき動作により、痛みを伴い使用感が著しく悪かった。【０００６】図５はシートタイプのアイライン付つけまつ毛の一実施例の斜視図（Ａ）とＹ−Ｙ’線の断面図（Ｂ）とシートタイプのアイライン付つけまつ毛を装着した右目の周辺の正面図（Ｃ）である。
その他、図５に示した様に全面フラットなシートタイプのアイライン形状の、アイラインシート付つけまつ毛（６）は従来よりあるが、シートの貼付け面がフラットに対して、上まぶたが凹凸構造のため、うまく接着が出来ず、剥がれやすい。更に、フラット面により光の加減で、シート自体不自然さが出てしまうと共に、接着した際にシートの硬い特性より端部の部分で痛みも伴っていた（例えば、特許文献１参照）。
【先行技術文献】
【特許文献】
【０００７】
【特許文献１】特開平１０−７７５１５号公報
【発明の概要】
【発明が解決しようとする課題】
【０００８】従来、図１に示す様に、つけまつ毛を付ける前にアイライン（２）を書き込む場合、手の動き、顔の動きがどうしても生じるため、相当熟練したアイライン技術が必要で、又、アイライン（２）は片目をつむり書き込むため、外観上大なり小なり図２に示した様に段違いアイライン（３）の様になってしまう。【０００９】なお、右目と左目で利き腕により、どうしても左右のアイラインを書き込む際に図３に示した様に、はみ出しアイライン（４）となり、ラインの太さ、長さが左右均等にならない。また、アイライン（２）を目の縁に書くため、本まつ毛が障害物になり、思うように書けず、書き損じた場合、容易に消去が出来ない。【００１０】図４に示す様に芯材が太いタイプの太芯材（５０１）にてアイライン（２）の様に見せる太芯材タイプつけまつ毛（５）が出来たが、まばたきの際に、芯材が太く硬いため上まぶた（１）の目頭部分（５０１ａ）と目尻部分（５０１ｂ）に長期使用の場合、どうしても痛みが伴う問題があった。【００１１】図６はシートタイプのアイライン付つけまつ毛を装着しかけた右目の上まぶた側面図である。
アイラインシート（６１２）の構造よりどうしても図６に示した様にシートの貼り付け面が全面フラットに対して、アールが多く、柔らかく凹凸構造の上まぶた（１）に接着では、どうしても密着具合が落ち、そのため剥がれやすい問題があった。【００１２】図７はシートタイプのアイライン付つけまつ毛（６）を装着した右目周辺の側面図である。
シートの材質が和紙や合成紙、プラスチックにより、無光沢加工をしても構造が面により光の加減により、図７に示した様に、不自然さが出てしまうと共に、接着した際にシートの硬い特性より端部の部分で痛みも伴っていた。【００１３】本発明はアイラインの書き込みが不要で、かつ、不自然さがない、つけまつ毛を提供することを課題とする。
【課題を解決するための手段】
【００１４】そこで本発明は上記課題を解決するため、請求項１のつけまつ毛の第二部材用の芯材及び前記第二部材の目頭部より目尻部にかけて１０本／ｍｍ以上単列で配列されているアイライン形状密集繊維を有する第二部材と、第一部材用の芯材及び前記第一部材用繊維を有する第一部材とを連結することを特徴としている。【００１５】アイライン形状密集繊維の中央部分を両端部分より長くすることが好ましい。【００１６】あるいはアイライン形状密集繊維の目頭部分から中央部分の長さと比べ目尻部分を長くしてもよい。
【発明の効果】
【００１７】本発明によれば、アイラインの書き込みが不要で、接着が容易に剥がれず、不自然さも痛みも無く、ノーマル、丸目、切れ長と選ぶ事が出来て独自の目元が作れる。【００１８】また、密集細繊維付つけまつ毛を装着するだけで従来の筆、ペンシルタイプによるアイラインの書き込みの場合と同様の目の化粧効果を得ることが出来る。よって、従来の方式の書き込みと異なり、書き損じも段差もなく、左右のアイラインで不均等になることもない。
【図面の簡単な説明】
【００１９】
【図１】アイラインを書き込んだ人の右目の周辺の正面図
【図２】段差アイラインを書き込んだ人の右目の周辺の正面図
【図３】左右不均等アイラインを書き込んだ人の両目の周辺の正面図
【図４】芯材の太いつけまつ毛の一実施例の斜視図（Ａ）とＸ−Ｘ’線の断面図（Ｂ）と芯材の太いつけまつ毛を装着した右目の周辺の正面図（Ｃ）
【図５】シートタイプのアイライン付つけまつ毛の一実施例の斜視図（Ａ）とＹ−Ｙ’線の断面図（Ｂ）とシートタイプのアイライン付つけまつ毛を装着した右目の周辺の正面図（Ｃ）
【図６】シートタイプのアイライン付つけまつ毛を装着しかけた右目の上まぶた側面図
【図７】シートタイプのアイライン付つけまつ毛を装着した右目周辺の側面図
【図８】本発明の実施例１のつけまつ毛の斜視図（Ａ）とＺ−Ｚ’線の断面図（Ｂ）と本発明の実施例１のつけまつ毛を装着した右目の周辺の正面図（Ｃ）
【図９】芯材の太いつけまつ毛を装着しかけた右目の上まぶた側面図（Ａ）と本発明の実施例１のつけまつ毛を装着しかけた右目の上まぶた側面図（Ｂ）
【図１０】芯材の太いつけまつ毛を装着した右目周辺の側面図（Ａ）と本発明の実施例１のつけまつ毛を装着した右目周辺の側面図（Ｂ）
【図１１】本発明の実施例１のつけまつ毛の分解拡大図である第一部材の斜視図（Ａ）と第二部材の斜視図（Ｂ）
【図１２】本発明の実施例２のつけまつ毛の第三部材の斜視図（Ａ）と第四部材の斜視図（Ｂ）
【図１３】本発明の実施例２のつけまつ毛（８）の斜視図（Ａ）とＺ１−Ｚ１’の断面図（Ｂ）
【図１４】本発明の実施例２のつけまつ毛（８）を装着した右目の周辺の正面図
【図１５】本発明の実施例３のつけまつ毛の第五部材の斜視図（Ａ）と第六部材の斜視図（Ｂ）
【図１６】本発明の実施例３のつけまつ毛の斜視図（Ａ）とＺ２−Ｚ２線の断面図（Ｂ）
【図１７】本発明の実施例３のつけまつ毛を装着した右目の周辺の正面図
【発明を実施するための形態】
【実施例１】
【００２０】図８は本発明の実施例１のつけまつ毛の斜視図（Ａ）とＺ−Ｚ’線の断面図（Ｂ）である。
本発明の実施例１のつけまつ毛（７）は密集細繊維用芯材（７１１）に編みこまれたアイライン形状の密集細繊維（７１２）及び、つけまつ毛用の芯材（７０１）に編みこまれた、つけまつ毛用繊維（７０２）から構成されており、つけまつ毛用芯材（７０１）と密集細繊維用芯材（７１１）が接着により、連結している断面図が図８の（Ｂ）である。本発明の実施例１のつけまつ毛はアイライン形状密集細繊維付つけまつ毛である。【００２１】図８の（Ｃ）に示したのは、本発明の実施例１のつけまつ毛（７）を装着した右目の周辺の正面図である。
図５に示した様な従来のアイラインシート（６１２）のフラット構造に対して、アイライン形状の密集細繊維（７１２）の構造が繊維１本１本別々で、光の加減で反射することもなく、外観上、図８（Ｃ）に示した様に自然なアイラインの形状が出来る。密集細繊維の場合、図９（Ｂ）にあるように密集細繊維用芯材（７１１）が面でなく線形状により凸凹構造の上まぶた（１）の縁と接着されても、剥がれにくくなる。【００２２】図９は芯材の太いつけまつ毛を装着しかけた右目の上まぶた側面図（Ａ）と本発明の実施例１のつけまつ毛（７）を装着しかけた右目の上まぶた側面図（Ｂ）である。
アイラインの様に見せる太い芯材である太芯材（５０１）、密集細繊維用芯材（７１１）の各方式別の上まぶた（１）との密着具合を表している。
芯材の太くアイラインの様に見せる太芯材タイプつけまつ（５）と比べ、密集細繊維用芯材（７１１）は芯材の大きさが太芯材（５０１）と比べて約１／３と小さく、柔らかい形状により、目頭部（７１２ａ）、目尻部分（７１２ｂ）の長時間使用のまばたき動作による、痛みもない。【００２３】また、密集細繊維の場合、図９（Ｂ）にあるように密集細繊維用芯材（７１１）が面でなく線形状により凸凹構造の上まぶた（１）の縁と接着されても、剥がれにくくなる。【００２４】図１０は芯材の太いつけまつ毛を装着した右目周辺の側面図（Ａ）と本発明の実施例１のつけまつ毛を装着した右目周辺の側面図（Ｂ）である。
アイラインの様に見せる太芯材タイプつけまつ毛（５）と本発明の実施例１のつけまつ毛（７）の各方式別の外観を表している。アイラインの様に見せる太芯材タイプつけまつ毛（５）を装着した場合、太芯材自体に厚みがある。太芯材タイプつけまつ毛（５）と本発明の実施例１のつけまつ毛（７）と比較して場合、外観上で厚みが無い分、自然に映る。【００２５】図１１は本発明の実施例１のつけまつ毛の分解拡大図である第一部材の斜視図（Ａ）と第二部材の斜視図（Ｂ）である。
本発明の実施例１のつけまつ毛（７）の分解拡大図であるが、第一部材（７０）は、つけまつ毛用芯材（７０１）と、つけまつ毛用繊維（７０２）より構成されており、つけまつ毛用芯材（７０１）につけまつ毛用繊維（７０２）が編みこまれている。【００２６】第二部材（７１）は、密集細繊維用芯材（７１１）と密集細繊維（７１２）から構成される。密集細繊維（７１２）はアイラインの形状をしており、目頭部分（７１２ａ）より目尻部分（７１２ｂ）まで、１０本／ｍｍ以上単列にて配列された細い繊維が密集細繊維用芯材（７１１）に編みこまれている。単列で密集させることにより、より書き込みと同様のアイライン形状に近づけることが出来る。１０本／ｍｍ未満だと繊維間に微妙な隙間が出来る為、密集細繊維（７１２）は１０本／ｍｍ以上が好ましい。【００２７】また、図１１に示した様に第一部材（７０）が、第二部材（７１）と連結していることにより、図８の（Ｃ）に示した様に、本発明の実施例１のつけまつ毛（７）を装着、取り外すだけで従来の筆、ペンシルで書き込む場合と異なり、アイラインの書き込み及び拭き取りの始末の時間を短縮する事が出来る。
【実施例２】
【００２８】図１２は本発明の実施例２のつけまつ毛の第三部材の斜視図（Ａ）と第四部材の斜視図（Ｂ）である。
本発明の実施例２のつけまつ毛（８）は第三部材（８０）と第四部材（８１）を有する。
本発明の実施例２のつけまつ毛の第四部材（８１）は丸目タイプ用密集細繊維（８１２）及び丸目タイプ密集細繊維用芯材（８１１）より構成されており、丸目タイプ用密集細繊維（８１２）は、中央部（８１２ｃ）の繊維長さを目頭部（８１２ａ）と目尻部（８１２ｂ）の両端より長くした状態で丸目タイプ密集繊維用芯材（８１１）に編みこまれている。【００２９】図１３の（Ａ）は、本発明の実施例２のつけまつ毛（８）の斜視図である。
本発明の実施例２のつけまつ毛は丸目タイプ密集細繊維用芯材（８１１）に編みこまれた丸目タイプ密集細繊維（８１２）及び、丸目タイプつけまつ毛用芯材（８０１）に編みこまれた、丸目タイプつけまつ毛用繊維（８０２）から構成されている。第四部材（８１）の丸目タイプ密集細繊維用芯材（８１１）と第三部材（８０）の丸目タイプつけまつ毛用芯材（８０１）を接着により、連結している。本発明の実施例２のつけまつ毛のＺ１−Ｚ１’線の断面図が図１３（Ｂ）である。本発明の実施例２のつけまつ毛は丸目タイプ密集細繊維付つけまつ毛である。【００３０】図１４は本発明の実施例２のつけまつ毛（８）を装着した右目の周辺の正面図である。
本発明実施例１の発明の効果に加え、着ている服装や、その時の気分により目の表情を変えたい場合、又は黒目を大きくしたい場合は、密集繊維の中央部分を両端部分より長くした、本発明の実施例２のつけまつ毛（８）を装着することにより、図１４のように黒目が強調され、より黒目の部分が大きく綺麗に見る。
【実施例３】
【００３１】図１５は本発明の実施例３のつけまつ毛の第五部材の斜視図（Ａ）と第六部材の斜視図（Ｂ）である。
本発明の実施例３のつけまつ毛（９）は第五部材（９０）と第六部材（９１）を有する。
本発明の実施例３のつけまつ毛の第六部材（９１）は切れ長タイプ密集細繊維（９１２）及び切れ長タイプ密集細繊維用芯材（９１１）より構成されており、切れ長タイプ密集細繊維（９１２）は、中央部（９１２ｃ）及び目頭部（９１２ａ）の繊維長さを短くし、目尻部（９１２ｂ）の繊維を長くされた状態で切れ長タイプ密集繊維用芯材（９１１）に編みこまれている。【００３２】図１６の（Ａ）は、接合された状態の本発明の実施例３のつけまつ毛（９）の斜視図である。
本発明の実施例３のつけまつ毛は切れ長タイプ密集細繊維用芯材（９１１）に編みこまれた切れ長タイプの密集細繊維（９１２）及び、切れ長タイプつけまつ毛用芯材（９０１）に編みこまれた切れ長タイプつけまつ毛用繊維（９０２）から構成されており、第六部材（９１）の切れ長タイプ密集細繊維用芯材（９１１）と第五部材（９０）の切れ長タイプつけまつ毛用芯材（９０１）を接着により、連結している。本発明の実施例３のつけまつ毛のＺ２−Ｚ２’線の断面図が図１６（Ｂ）である。本発明の実施例３のつけまつ毛は切れ長タイプ密集細繊維付つけまつ毛である。【００３３】図１７は本発明の実施例３のつけまつ毛（９）を装着した右目の周辺の正面図である。
本発明の実施例１の発明の効果に加え、目頭部分と中央部分と比べ、目尻部分の繊維の長さを長くした、本発明の実施例３のつけまつ毛図（９）を装着することにより、図１７の様に、元々ある目尻の影の部分を強調させることにより、より切れ長の目を見せることが出来る。
【符号の説明】
【００３４】    １    上まぶた
２    アイライン
３    段違いアイライン
４    はみ出しアイライン
５    太芯材タイプつけまつ毛
５０１    太芯材
５０２    太芯材用繊維
６    アイラインシート付つけまつ毛
６０１    アイラインシート用芯材
６０２    アイラインシート用繊維
６１２    アイラインシート
７    実施例１のつけまつ毛
７０    第一部材
７０１    つけまつ毛用芯材
７０２    つけまつ毛用繊維
７１    第二部材
７１１    密集細繊維用芯材
７１２    密集細繊維
８    実施例２のつけまつ毛
８０    第三部材
８０１    丸目タイプつけまつ毛用芯材
８０    第三部材
８０１    丸目タイプつけまつ毛用芯材
８０２    丸目タイプつけまつ毛用繊維
８１    第四部材
８１１    丸目タイプ密集細繊維用芯材
８１２    丸目タイプ用密集細繊維
９    実施例３のつけまつ毛
９０    第五部材
９０１    切れ長タイプつけまつ毛用芯材
９０２    切れ長タイプつけまつ毛用繊維
９１    第六部材
９１１    切れ長タイプ密集細繊維用芯材
９１２    切れ長タイプ用密集細繊維
１０    眼球
【図１】
2013245429.tif 000003
【図２】
2013245429.tif 000004
【図３】
2013245429.tif 000005
【図４】
2013245429.tif 000006
【図５】
2013245429.tif 000007
【図６】
2013245429.tif 000008
【図７】
2013245429.tif 000009
【図８】
2013245429.tif 000010
【図９】
2013245429.tif 000011
【図１０】
2013245429.tif 000012
【図１１】
2013245429.tif 000013
【図１２】
2013245429.tif 000014
【図１３】
2013245429.tif 000015
【図１４】
2013245429.tif 000016
【図１５】
2013245429.tif 000017
【図１６】
2013245429.tif 000018
【図１７】
2013245429.tif 000019